(57)【要約】      （修正有）【課題】光源からの光が遮蔽されず、良好な表示効果を達成するキースイッチを提供する。【解決手段】キースイッチは、ベースプレート１０に設けられ、キーキャップと、はさみ型支持構造１４２とを備える。はさみ型支持構造は、第１支持部材１４２ａと、第２支持部材１４２ｂとを含み、ベースプレートに設けられ、キーキャップを支持する。第１支持部材は、それぞれがベースプレートとキーキャップに接合される、第１接合軸１４２ａ１と第２接合軸１４２ａ２を含む。第２支持部材は、第１支持部材に枢着され、且つ、それぞれがベースプレートとキーキャップに接合される、第３接合軸１４２ｂ１と第４接合軸１４２ｂ２を含む。第１接合軸の重心と第２接合軸の重心との繋ぎ線は、両軸の軸方向に垂直ではない。第３接合軸の重心と第４接合軸の重心との繋ぎ線は、両軸の軸方向に垂直ではない。【選択図】図７
0003181674.tif 000002
【実用新案登録請求の範囲】
【請求項１】
ベースプレートに設けられるキースイッチであって、
キーキャップと、
それぞれが前記ベースプレートと前記キーキャップに接合され、両者の重心の繋ぎ線が両者の軸方向に垂直ではない第１接合軸と第２接合軸を含む、第１支持部材、及びそれぞれが前記ベースプレートと前記キーキャップに接合され、両者の重心の繋ぎ線が両者の軸方向に垂直ではない第３接合軸と第４接合軸を含み、前記第１支持部材に枢着される第２支持部材と、を包括し、前記ベースプレートに設けられ、前記キーキャップを支持するはさみ型支持構造と、
を備えるキースイッチ。
【請求項２】
前記第１接合軸の長さが、前記第２接合軸の長さより大きく、そして前記第４接合軸の長さが、前記第３接合軸の長さより大きい請求項１に記載のキースイッチ。
【請求項３】
前記キーキャップには、出光領域を設けてあり、前記出光領域に対応する前記第１支持部材と前記第２支持部材の位置は、内側に凹んでいる形状である請求項１又は請求項２に記載のキースイッチ。
【請求項４】
前記キーキャップには、出光領域を設けてあり、前記第３接合軸の長さが前記第１接合軸の長さより小さく、そして前記第３接合軸が前記第１接合軸より前記出光領域に近く、前記第２接合軸の長さが、前記第４接合軸の長さより小さく、そして前記第２接合軸が、前記第４接合軸より前記出光領域に近い請求項１乃至請求項３のいずれか一項に記載のキースイッチ。
【請求項５】
前記キーキャップの厚さは、１ｍｍより大きい請求項１乃至請求項４のいずれか一項に記載のキースイッチ。
【請求項６】
前記はさみ型支持構造の厚さは、１．３ｍｍより大きい請求項１乃至請求項５のいずれか一項に記載のキースイッチ。
【請求項７】
前記ベースプレートと前記キーキャップの１つのエッジのそれぞれに接合される連接棒部材を更に備える請求項１乃至請求項６のいずれか一項に記載のキースイッチ。
【請求項８】
前記キーキャップは、前記出光領域に位置するレーザーエングレービング層を含む請求項１乃至請求項７のいずれか一項に記載のキースイッチ。
【請求項９】
複数の開孔を有するベースプレートと、
前記ベースプレートの下方に設けられ、これらの開孔を介して発光する光源と、
前記ベースプレートに設けられる複数のキースイッチと、を備えるキーボードであって、
前記複数のキースイッチのそれぞれは、
前記光源に対応する出光領域が設けてあるキーキャップと、
それぞれが前記ベースプレートと前記キーキャップに接合され、両者の重心の繋ぎ線が両者の軸方向に垂直ではない第１接合軸と第２接合軸を含む、第１支持部材、及びそれぞれが前記ベースプレートと前記キーキャップに接合され、両者の重心の繋ぎ線が両者の軸方向に垂直ではない第３接合軸と第４接合軸を含み、前記第１支持部材に枢着される第２支持部材と、を包括し、前記ベースプレートに設けられ、前記キーキャップを支持するはさみ型支持構造と、を具備する
キーボード。
【請求項１０】
前記第１接合軸の長さが、前記第２接合軸の長さより大きく、そして前記第４接合軸の長さが、前記第３接合軸の長さより大きい請求項９に記載のキーボード。
【請求項１１】
前記出光領域に対応する前記第１支持部材と前記第２支持部材の位置は、内側に凹んでいる形状である請求項９又は請求項１０に記載のキーボード。
【請求項１２】
前記第３接合軸の長さが、前記第１接合軸の長さより小さく、そして前記第３接合軸が、前記第１接合軸より前記出光領域に近く、前記第２接合軸の長さが、前記第４接合軸の長さより小さく、そして前記第２接合軸が、前記第４接合軸より前記出光領域に近い請求項９乃至請求項１１のいずれか一項に記載のキーボード。
【請求項１３】
前記キーキャップの厚さは、１ｍｍより大きい請求項９乃至請求項１２のいずれか一項に記載のキーボード。
【請求項１４】
前記はさみ型支持構造の厚さは、１．３ｍｍより大きい請求項９乃至請求項１３のいずれか一項に記載のキーボード。
【請求項１５】
前記ベースプレートと前記キーキャップの１つのエッジのそれぞれに接合される連接棒部材を更に備える請求項９乃至請求項１４のいずれか一項に記載のキーボード。
【請求項１６】
前記キーキャップは、前記出光領域に位置するレーザーエングレービング層を含む請求項９乃至請求項１５のいずれか一項に記載のキーボード。
【考案の詳細な説明】
【技術分野】
【０００１】
本考案は、キースイッチ及びそのキーボードに関する。
【背景技術】
【０００２】
目下のパソコン使用習慣から言えば、キーボードは、文字又は数字の入力に用いられる不可欠な入力装置の１つである。それだけでなく、およそ日常生活で接触する消耗性電子製品又は工業界で利用される大型加工設備のすべてには、上記電子製品と加工設備を操作するために、入力装置としてキースイッチ構造を設ける必要がある。一般的に、公知のキースイッチ構造は、大体、ドームスイッチ（ｄｏｍｅ  ｓｗｉｔｃｈ）とラバースイッチ（ｒｕｂｂｅｒ  ｓｗｉｔｃｈ）に分けられる。
【０００３】
キーボード上のキースイッチに対して、各キースイッチに加えられる利用者からの力のバランスを取るために、キースイッチのキーキャップの下方には、キーキャップを垂直に移動させるためのはさみ型支持構造を設けることが一般的である。このため、キーキャップの側辺にも隅にも力を加えれば、力を均一にキーキャップ全面に分散させる可能であるため、キースイッチ全体を押すのが非常に容易となり、利用者がキースイッチを更に容易に操作できるようになる。
【０００４】
また、従来のキーボードの何れもキャラクタースクリーン印刷を採用し、その印刷原料が環境保全に障害をもたらしやすく、且つ、この印刷字体符号は、使用時の磨耗によって、識別しにくくなることが多い。暗い場所で便利にキーボードを使用できるように、暗い場所でも利用可能な発光ダイオード（Ｌｉｇｈｔ‐Ｅｍｉｔｔｉｎｇ  Ｄｉｏｄｅ；  ＬＥＤ）バックライトキーボードを市場で更に開発した。目下に既知の作り方は、キーボードにおける各キースイッチ（又は必要となるキースイッチ）の下方に、別々に発光ダイオードを設けることである。
【考案の概要】
【考案が解決しようとする課題】
【０００５】
しかしながら、従来のキーボードは、キーキャップ、はさみ型支持構造、連接棒等のユニットを含むため、その複雑な機械構造が重なり、感光の問題を考えなければならないだけでなく、採用される発光ダイオードの数量が多いほど、キーボード全体の電気消費量とコストが高くなってしまう。そして、従来のキーボードにおける対称的な機械構造重なりは、キーキャップのパターンへ投射される発光ダイオードからの光線を阻止する場合が多く、同様にパターンの識別しにくい問題を発生してしまう。
【課題を解決するための手段】
【０００６】
従来技術の問題を解決するように、本考案の一技術態様は、主に非対称的なはさみ型支持構造をキーキャップの下方に支持させるため、はさみ型支持構造がキーキャップ下方のある部分（例えば、キーキャップの１つの隅）を占拠しないキースイッチである。このため、キースイッチの底部に設けられる光源からの光は、はさみ型支持構造に遮蔽されず、キーキャップの出光領域中のレーザー彫刻によるパターン（ｐａｔｔｅｒｎ）まで順調に伝達可能であり、更に、利用者に識別しやすい良好な表示効果を達成可能である。キースイッチには、非対称的なはさみ型支持構造を採用するため、本考案は、更にキーキャップの厚さ、はさみ型支持構造の厚さの増加及び連接棒部材補助支持キーキャップの増設等によって、キーキャップ昇降時の安定性を向上する。
【０００７】
本考案の一実施形態によって、ベースプレートに設けられるキースイッチである。キースイッチは、キーキャップと、はさみ型支持構造と、を備える。はさみ型支持構造は、第１支持部材と、第２支持部材とを含み、ベースプレートに設けられ、キーキャップを支持する。第１支持部材は、それぞれがベースプレートとキーキャップに接合される、第１接合軸と第２接合軸を含む。第１接合軸の重心と第２接合軸の重心との繋ぎ線は、第１接合軸の軸方向と第２接合軸の軸方向に垂直ではない。第２支持部材は、第１支持部材に枢着され、且つ、それぞれがベースプレートとキーキャップに接合される、第３接合軸と第４接合軸を含む。第３接合軸の重心と第４接合軸の重心との繋ぎ線は、第３接合軸の軸方向と第４接合軸の軸方向に垂直ではない。
【０００８】
本考案の一実施例において、上記第１接合軸の長さは、第２接合軸の長さより大きく、そして、第４接合軸の長さは、第３接合軸の長さより大きい。
【０００９】
本考案の一実施例において、上記キーキャップには、出光領域を設けてある。出光領域に対応する、第１支持部材と第２支持部材の位置は、内側に凹んでいる形状である。
【００１０】
本考案の一実施例において、上記キーキャップには、出光領域を設けてある。第３接合軸の長さは、第１接合軸の長さより小さく、そして、第３接合軸は、第１接合軸より出光領域に近い。第２接合軸の長さは、第４接合軸の長さより小さく、そして、第２接合軸は、第４接合軸より出光領域に近い。
【００１１】
本考案の一実施例において、上記キーキャップの厚さは、１ｍｍより大きい。
【００１２】
本考案の一実施例において、上記はさみ型支持構造の厚さは、１．３ｍｍより大きい。
【００１３】
本考案の一実施例において、上記キースイッチは、連接棒部材を更に備える。連接棒部材は、それぞれベースプレートとキーキャップのエッジに接合される。
【００１４】
本考案の一実施例において、上記キーキャップは、レーザーエングレービング層を含み、そしてレーザーエングレービング層が出光領域にある。
【００１５】
本考案の一実施例において、上記レーザーエングレービング層は、パターンを含み、そしてパターンは、数字、符号、単語又は図形である。
【００１６】
本考案の別の技術態様は、主にキーキャップの下方に光源を設け、光源からの光が、はさみ型支持構造に遮蔽されず、キーキャップの出光領域中のレーザー彫刻によるパターンまで順調に伝達可能にして、利用者に識別しやすい良好な表示効果を達成可能にするキーボードである。
【００１７】
本考案の一実施形態によって、ベースプレートと、光源と、複数のキースイッチとを備えるキーボードである。ベースプレートは、複数の開孔を有する。光源は、ベースプレートの下方に設けられ、開孔を介して発光する。キースイッチのそれぞれは、ベースプレートに設けられ、キーキャップと、はさみ型支持構造と、を含む。キーキャップには、出光領域を設けてある。出光領域は光源に対応する。はさみ型支持構造は、第１支持部材と、第２支持部材とを含み、ベースプレートに設けられ、キーキャップを支持する。第１支持部材は、それぞれがベースプレートとキーキャップに接合される、第１接合軸と第２接合軸を含む。第１接合軸の重心と第２接合軸の重心との繋ぎ線は、第１接合軸の軸方向と第２接合軸の軸方向に垂直ではない。第２支持部材は、第１支持部材に枢着され、且つそれぞれがベースプレートとキーキャップに接合される、第３接合軸と第４接合軸を含む。第３接合軸の重心と第４接合軸の重心との繋ぎ線は、第３接合軸の軸方向と第４接合軸の軸方向に垂直ではない。
【図面の簡単な説明】
【００１８】
【図１】本考案の一実施例によるキーボードを示す斜視図である。
【図２】図１に示したキースイッチを示す平面図である。図面において、透視方式でベースプレートを表示する。
【図３】図１に示したキースイッチのベースプレートを示す部分底面図である。
【図４】図１に示したキースイッチのキーキャップを示す上方の透視図である。
【図５】図１に示したキースイッチのはさみ型支持構造を示す分解模式図である。
【図６】図５に示したはさみ型支持構造を示す組合せ模式図である。
【図７】図１に示したキースイッチのベースプレートとはさみ型支持構造を示す平面図である。
【図８】図１に示したキースイッチを示す別の平面図である。図面において、透視方式ではさみ型支持構造を表示する。
【図９】図１に示したキースイッチを示す別の平面図である。
【考案を実施するための形態】
【００１９】
以下、図面によって本考案の複数の実施形態を開示する。明確に説明するためには、多くの実行上の細部を以下の記述で一括して説明する。しかしながら、これらの実行上の細部が、本考案を限定するためのものではないことを理解すべきである。つまり、本考案の一部の実施形態において、これらの実行上の細部は、必須なものではない。また、図面を簡素化するように、公知で慣用する構造とユニットを、図面において簡単に示す。
【００２０】
図１を参照する。図１は本考案の一実施例によるキーボード１を示す斜視図である。
【００２１】
図１に示すように、本実施形態のキーボード１は、デスクトップコンピュータで使用される外接キーボード（例えば、ＰＳ２インターフェースのキーボード又はＵＳＢインターフェースのキーボード）又はキーボード形式の入力装置を含むコンピュータシステム（例えば、ノートコンピュータ又はラップトップコンピュータ）であってよいが、これに限定されない。換言すれば、本考案のキーボード１は、キースイッチを入力インターフェースとする電子製品の何れに用いられることができる。特に、元々はさみ型支持構造を採用したキースイッチのキーボードに対して、何れも本考案の概念を適用可能である。
【００２２】
図１に示すように、本実施例において、キーボード１は、少なくとも、ベースプレート１０と、複数のキースイッチ１４とを備える。以下、キーボード１に含まれる各ユニットの構造及び各ユニット間の接合関係に対して更に詳しく説明する。
【００２３】
図２を参照する。図２は、図１に示したキースイッチ１４を示す平面図であり、図面において、透視方式でベースプレート１０を表示する。
【００２４】
図２に示すように、本実施例において、キーボード１のベースプレート１０は、開孔１００を有する。キーボード１は、光源１２を更に備える。光源は、キーキャップ１４０下方の適切な位置に設けられ、キーキャップ１４０に投射する光線を提供するように、ベースプレート１０の上方又は下方に設けてよい。本実施例において、キーボード１の光源１２は、ベースプレート１０の下方に設けられ、ベースプレート１０の開孔１００を介して発光する。キースイッチ１４は、キーキャップ１４０を含み、そしてキーキャップ１４０の１つの隅に、ベースプレート１０の開孔１００の下方にある光源１２に対向する出光領域１４０ａを設けてある（即ち、図２におけるキーキャップ１４０の左下隅に出光領域１４０ａを設けてある）。
【００２５】
図３及び図４を参照する。図３は、図１に示したキースイッチ１４のベースプレート１０を示す部分平面図である。図４は、図１に示したキースイッチ１４のキーキャップ１４０を示す上方の透視図である。
【００２６】
図３に示すように、本実施例において、キーボード１のベースプレート１０は、第１底部接合部１０２と、第２底部接合部１０４とを含む。ベースプレート１０の第１底部接合部１０２と第２底部接合部１０４は、大体同じ方向に沿って排列して設置される。図４に示すように、本実施例において、キースイッチ１４のキーキャップ１４０の底面に、第１頂部接合部１４０ｂと、第２頂部接合部１４０ｃとを含む。キーキャップ１４０の第１頂部接合部１４０ｂと第２頂部接合部１４０ｃは、大体同じ方向に沿って配列する。
【００２７】
図５及び図６を参照する。図５は、図１に示したキースイッチ１４のはさみ型支持構造１４２を示す分解模式図である。図６は、図５に示したはさみ型支持構造１４２を組合せ模式図である。
【００２８】
図５と図６に示すように、本実施例において、キーボード１の各キースイッチ１４は、はさみ型支持構造１４２を更に含む。キースイッチ１４のはさみ型支持構造１４２は、第１支持部材１４２ａと、第２支持部材１４２ｂとを含み、キーボード１のベースプレート１０に設けられ、キーキャップ１４０を支持する。はさみ型支持構造１４２の第１支持部材１４２ａと第２支持部材１４２ｂは、大体リング状であって、そして第１支持部材１４２ａの外形が大体第２支持部材１４２ｂの外周にぴったり環設可能である（即ち、第１支持部材１４２ａの寸法が第２支持部材１４２ｂより大きい）。はさみ型支持構造１４２の第１支持部材１４２ａの二つの対向エッジの内壁は、それぞれ同軸心の枢軸孔１４２ａ３を有する。はさみ型支持構造１４２の第２支持部材１４２ｂの二つの対向エッジの外壁は、それぞれ同軸心の枢着軸１４２ｂ３を有する。第１支持部材１４２ａを第２支持部材１４２ｂの外周にぴったり環設する時、第１支持部材１４２ａの枢軸孔１４２ａ３は、第２支持部材１４２ｂの枢着軸１４２ｂ３と相互に枢着可能である（組み立てた後、第１支持部材１４２ａの枢軸孔１４２ａ３と第２支持部材１４２ｂの枢着軸１４２ｂ３が同軸心となる）。これによって、寸法が小さい第２支持部材１４２ｂは、第１支持部材１４２ａの内側縁に回転することができる。
【００２９】
図５に示すように、図３と図４を合わせて参照して、はさみ型支持構造１４２の第１支持部材１４２ａの上下両側は、別々に第１接合軸１４２ａ１と、第２接合軸１４２ａ２とを含む。第１支持部材１４２ａの第１接合軸１４２ａ１は、ベースプレート１０の第１底部接合部１０２に、第１支持部材１４２ａの第２接合軸１４２ａ２は、キーキャップ１４０の第１頂部接合部１４０ｂに接合することができる。また、はさみ型支持構造１４２の第２支持部材１４２ｂの上下両側は、別々に第３接合軸１４２ｂ１と第４接合軸１４２ｂ２とを含む。第２支持部材１４２ｂの第３接合軸１４２ｂ１は、ベースプレート１０の第２底部接合部１０４に、第２支持部材１４２ｂの第４接合軸１４２ｂ２は、キーキャップ１４０の第２頂部接合部１４０ｃに接合することができる。
【００３０】
ここで、キースイッチ１４が押される時に、キーキャップ１４０がベースプレート１０に対して垂直に昇降する機能を達成するために、本実施例において、第１支持部材１４２ａの第１接合軸１４２ａ１と第２支持部材１４２ｂの第４接合軸１４２ｂ２は、別々にベースプレート１０の第１底部接合部１０２とキーキャップ１４０の第２頂部接合部１４０ｃに摺接され、そして第１支持部材１４２ａの第２接合軸１４２ａ２と第２支持部材１４２ｂの第３接合軸１４２ｂ１は、別々にキーキャップ１４０の第１頂部接合部１４０ｂとベースプレート１０の第２底部接合部１０４に枢着されることを示している。
【００３１】
或いは、別の一実施例において、第１支持部材１４２ａの第１接合軸１４２ａ１と第２支持部材１４２ｂの第４接合軸１４２ｂ２を別々にベースプレート１０の第１底部接合部１０２とキーキャップ１４０の第２頂部接合部１４０ｃに枢着させ、第１支持部材１４２ａの第２接合軸１４２ａ２と第２支持部材１４２ｂの第３接合軸１４２ｂ１を、別々にキーキャップ１４０の第１頂部接合部１４０ｂとベースプレート１０の第２底部接合部１０４に摺接させてもよく、同様に、キーキャップ１４０がベースプレート１０に対して垂直に昇降する機能を達成できる。
【００３２】
図５に示すように、本実施例において、第１支持部材１４２ａの第１接合軸１４２ａ１の重心１４２ａ４と第２接合軸１４２ａ２の重心１４２ａ５との繋ぎ線は、第１接合軸１４２ａ１の軸方向と第２接合軸１４２ａ２の軸方向に垂直ではなく、そして、第１接合軸１４２ａ１の長さは、第２接合軸１４２ａ２の長さより大きい。換言すれば、はさみ型支持構造１４２の第１支持部材１４２ａの上下両側（即ち、第１接合軸１４２ａ１と第２接合軸１４２ａ２）の形状は、対称ではない。同様に、第２支持部材１４２ｂの第３接合軸１４２ｂ１の重心１４２ｂ４と第４接合軸１４２ｂ２の重心１４２ｂ５との繋ぎ線は、第３接合軸１４２ｂ１の軸方向と第４接合軸１４２ｂ２の軸方向に垂直ではなく、そして、第４接合軸１４２ｂ２の長さは、第３接合軸１４２ｂ１の長さより大きい。換言すれば、はさみ型支持構造１４２の第２支持部材１４２ｂの上下両側（即ち、第３接合軸１４２ｂ１と第４接合軸１４２ｂ２）の形状は、対称ではない。図５から、はさみ型支持構造１４２の第１支持部材１４２ａと第２支持部材１４２ｂの左下角のいずれも内側に凹んでいる形状である。
【００３３】
図７及び図８を参照する。図７は、図１に示したキースイッチ１４のベースプレート１０とはさみ型支持構造１４２を示す平面図である。図８は図１に示したキースイッチ１４を示す別の平面図であり、図面において、透視方式ではさみ型支持構造１４２を表示する。
【００３４】
図７に示すように、本実施例において、はさみ型支持構造１４２の第１支持部材１４２ａと第２支持部材１４２ｂの左下角の内側に凹んでいる形状は、ちょうどキーキャップ１４０の出光領域１４０ａに対向する。これより、はさみ型支持構造１４２の第１支持部材１４２ａと第２支持部材１４２ｂが、ベースプレート１０の開孔１００の上方のスペースを占拠しないため、ベースプレート１０の下方に設けられる光源１２からの光が、はさみ型支持構造１４２の第１支持部材１４２ａと第２支持部材１４２ｂに遮蔽されず、キーキャップ１４０まで順調に伝達可能であることが判明した。また、第２支持部材１４２ｂの第３接合軸１４２ｂ１の長さは、第１支持部材１４２ａの第１接合軸１４２ａ１の長さより小さくて、そして第３接合軸１４２ｂ１は、第１接合軸１４２ａ１よりベースプレート１０の開孔１００に近い。換言すれば、第２支持部材１４２ｂの第３接合軸１４２ｂ１は、長さが小さいため、第１支持部材１４２ａの第１接合軸１４２ａ１に対向するようにベースプレート１０の開孔１００と同側（即ち、図７に示した下側）に配列することが可能である。
【００３５】
図８に示すように、本実施例において、はさみ型支持構造１４２の第１支持部材１４２ａと第２支持部材１４２ｂの左下角の内側に凹んでいる形状は、ちょうどキーキャップ１４０の出光領域１４０ａ（即ち、ベースプレート１０の開孔１００に対向する出光領域１４０ａである）に対向する。これより、はさみ型支持構造１４２の第１支持部材１４２ａと第２支持部材１４２ｂが、キーキャップ１４０の出光領域１４０ａの下方のスペースを占拠しないため、ベースプレート１０の下方に設けられる光源１２からの光が、はさみ型支持構造１４２の第１支持部材１４２ａと第２支持部材１４２ｂに遮蔽されず、キーキャップ１４０まで順調に伝達可能であることが判明した。また、第１支持部材１４２ａの第２接合軸１４２ａ２の長さは、第２支持部材１４２ｂの第４接合軸１４２ｂ２の長さより小さく、そして、第２接合軸１４２ａ２は、第４接合軸１４２ｂ２よりキーキャップ１４０の出光領域１４０ａに近い。換言すれば、第１支持部材１４２ａの第２接合軸１４２ａ２は、長さが小さいため、第２支持部材１４２ｂの第４接合軸１４２ｂ２に対向するようにキーキャップ１４０の出光領域１４０ａと同側（即ち、図８に示した下側）に配列することが可能である。
【００３６】
本考案のキースイッチ１４は、非対称的なはさみ型支持構造１４２をキーキャップ１４０の下方に支持させるため、キーキャップ１４０がベースプレート１０に対して垂直に昇降する時の安定度が影響を受ける場合がある。キーキャップ１４０がベースプレート１０に対して垂直に昇降する時の安定度不足の問題を解決するため、一実施例において、本考案は、キースイッチ１４のキーキャップ１４０の厚さを１ｍｍより大きくすることができる。別の一実施例において、本考案は、キースイッチ１４のはさみ型支持構造１４２の厚さを１．３ｍｍより大きくすることができる。しかしながら、本考案は、これに限定されなく、実際の需要によって柔軟に変えることができる。
【００３７】
図３と図４に示すように、本実施例において、キースイッチ１４は、連接棒部材１４４をさらに含んでよい。キーボード１のベースプレート１０は、第３底部接合部１０６をさらに含み、キーキャップ１４０の底面は、第３頂部接合部１４０ｄをさらに含む。キーキャップ１４０の第３頂部接合部１４０ｄは、キーキャップ１４０の底面の１つのエッジに位置する。キースイッチ１４の連接棒部材１４４は、別々にベースプレート１０の第３底部接合部１０６とキーキャップ１４０の第３頂部接合部１４０ｄに接合されてよく、キーキャップ１４０がベースプレート１０に対して垂直に昇降する時にキーキャップ１４０を補助支持可能であり、さらに、同様に、キーキャップ１４０がベースプレート１０に対して垂直に昇降する時の安定性を効果的に向上することができる。
【００３８】
図９を参照する。図９は、図１に示したキースイッチ１４を示す別の平面図である。
【００３９】
図９に示すように、本実施例において、キースイッチ１４のキーキャップ１４０は、透明材質で作製される。キースイッチ１４のキーキャップ１４０は、レーザーエングレービング層１４０ｅ（図９において、「ｃａｐｓ  ｌｏｃｋ」のパターンを例とした）を含み、そしてレーザーエングレービング層１４０ｅが大体ベースプレート１０の開孔１００に対向する出光領域１４０ａに位置する。非対称的なはさみ型支持構造１４２を採用したキースイッチ１４から言えば、はさみ型支持構造１４２がベースプレート１０の開孔１００の上方のスペースとキーキャップ１４０の出光領域１４０ａの下方のスペースを占拠しないため、ベースプレート１０の下方に設けられる光源１２からの光が、はさみ型支持構造１４２に遮蔽されず、キーキャップ１４０のレーザー彫刻によるパターンまで順調に伝達可能であり、さらに、利用者に識別しやすい良好な表示効果を達成可能である。
【００４０】
一実施例において、キーキャップ１４０のレーザーエングレービング層１４０ｅに含まれるパターンは、数字、符号、単語又は図形であってもよいが、これに限定されない。
【００４１】
本考案の具体的な実施例についての上記の詳述によって、本考案のキースイッチ及びそのキーボードは、主に、非対称のはさみ型支持構造をキーキャップ下方に支持させ、はさみ型支持構造がキーキャップ下方のある部分（例えば、キーキャップの１つの隅）を占拠しないようにすることが明らかに理解できる。このため、キースイッチの底部に設けられる光源からの光は、はさみ型支持構造に遮蔽されず、キーキャップの出光領域中のレーザー彫刻によるパターンまで順調に伝達可能であり、利用者に識別しやすい良好な表示効果を達成可能である。キースイッチが非対称的なはさみ型支持構造を採用するため、本考案は、更にキーキャップの厚さ、はさみ型支持構造の厚さの増加及び連接棒部材補助支持キーキャップの増設等によって、キーキャップの昇降時の安定性を向上する。
【００４２】
本考案では実施形態を前述の通り開示したが、これは本考案を限定するためのものではない。当業者であれば、本考案の精神と範囲から逸脱しない限り、多様の変動や修正を加えることができる。従って、本考案の保護範囲は、実用新案登録請求の範囲で指定した内容を基準とする。
【符号の説明】
【００４３】
１  キーボード、１０  ベースプレート、１００  開孔、１０２  第１底部接合部、１０４  第２底部接合部、１０６  第３底部接合部、１２  光源、１４  キースイッチ、１４０  キーキャップ、１４０ａ  出光領域、１４０ｂ  第１頂部接合部、１４０ｃ  第２頂部接合部、１４０ｄ  第３頂部接合部、１４０ｅ  レーザーエングレービング層、１４２  はさみ型支持構造、１４２ａ  第１支持部材、１４２ａ１  第１接合軸、１４２ａ２  第２接合軸、１４２ａ３  枢軸孔、１４２ａ４  重心、１４２ａ５  重心、１４２ｂ  第２支持部材、１４２ｂ１  第３接合軸、１４２ｂ２  第４接合軸、１４２ｂ３  枢着軸、１４２ｂ４  重心、１４２ｂ５  重心、１４４  連接棒部材。
【図１】
0003181674.tif 000003
【図２】
0003181674.tif 000004
【図３】
0003181674.tif 000005
【図４】
0003181674.tif 000006
【図５】
0003181674.tif 000007
【図６】
0003181674.tif 000008
【図７】
0003181674.tif 000009
【図８】
0003181674.tif 000010
【図９】
0003181674.tif 000011
【手続補正書】
【提出日】平成24年12月6日(2012.12.6)
【手続補正１】
【補正対象書類名】実用新案登録請求の範囲
【補正対象項目名】全文
【補正方法】変更
【補正の内容】
【実用新案登録請求の範囲】
【請求項１】
ベースプレートに設けられるキースイッチであって、
該キースイッチが、キーキャップと、前記ベースプレートに設けられ、前記キーキャップを支持するはさみ型支持構造とを備えるものであり、
前記はさみ型支持構造が、一側に前記ベースプレートに接合される第１接合軸ともう一側に前記キーキャップに接合される第２接合軸とを含み、前記第１接合軸と前記第２接合軸の重心の繋ぎ線が両者の軸方向に垂直ではない前記第１接合軸と前記第２接合軸を含み、リング状である第１支持部材、及び一側に前記ベースプレートに接合される第３接合軸ともう一側に前記キーキャップに接合される第４接合軸とを含み、前記第３接合軸と前記第４接合軸の重心の繋ぎ線が両者の軸方向に垂直ではない前記第３接合軸と前記第４接合軸を含み、前記第１支持部材に枢着され、リング状である第２支持部材と、を包括するものである
キースイッチ。
【請求項２】
前記第１接合軸の長さが、前記第２接合軸の長さより大きく、そして前記第４接合軸の長さが、前記第３接合軸の長さより大きい請求項１に記載のキースイッチ。
【請求項３】
前記キーキャップには、出光領域を設けてあり、前記出光領域に対応する前記第１支持部材と前記第２支持部材の位置は、内側に凹んでいる形状である請求項１又は請求項２に記載のキースイッチ。
【請求項４】
前記キーキャップには、出光領域を設けてあり、前記第３接合軸の長さが前記第１接合軸の長さより小さく、そして前記第３接合軸が前記第１接合軸より前記出光領域に近く、前記第２接合軸の長さが、前記第４接合軸の長さより小さく、そして前記第２接合軸が、前記第４接合軸より前記出光領域に近い請求項１乃至請求項３のいずれか一項に記載のキースイッチ。
【請求項５】
前記キーキャップの厚さは、１ｍｍより大きい請求項１乃至請求項４のいずれか一項に記載のキースイッチ。
【請求項６】
前記はさみ型支持構造の厚さは、１．３ｍｍより大きい請求項１乃至請求項５のいずれか一項に記載のキースイッチ。
【請求項７】
前記ベースプレートと前記キーキャップの１つのエッジのそれぞれに接合される連接棒部材を更に備える請求項１乃至請求項６のいずれか一項に記載のキースイッチ。
【請求項８】
前記キーキャップは、前記出光領域に位置するレーザーエングレービング層を含む請求項１乃至請求項７のいずれか一項に記載のキースイッチ。
【請求項９】
複数の開孔を有するベースプレートと、
前記ベースプレートの下方に設けられ、これらの開孔を介して発光する光源と、
前記ベースプレートに設けられる複数のキースイッチと、を備えるキーボードであって、
前記複数のキースイッチのそれぞれは、
前記光源に対応する出光領域が設けてあるキーキャップと、
前記ベースプレートに設けられ、前記キーキャップを支持するはさみ型支持構造とを具備するものであり、
前記はさみ型支持構造が、一側に前記ベースプレートに接合される第１接合軸ともう一側に前記キーキャップに接合される第２接合軸とを含み、前記第１接合軸と前記第２接合軸の重心の繋ぎ線が両者の軸方向に垂直ではない前記第１接合軸と前記第２接合軸を含み、リング状である第１支持部材、及び一側に前記ベースプレートに接合される第３接合軸ともう一側に前記キーキャップに接合される第４接合軸とを含み、前記第３接合軸と前記第４接合軸の重心の繋ぎ線が両者の軸方向に垂直ではない前記第３接合軸と前記第４接合軸を含み、前記第１支持部材に枢着され、リング状である第２支持部材と、を包括するものである
キーボード。
【請求項１０】
前記第１接合軸の長さが、前記第２接合軸の長さより大きく、そして前記第４接合軸の長さが、前記第３接合軸の長さより大きい請求項９に記載のキーボード。
【請求項１１】
前記出光領域に対応する前記第１支持部材と前記第２支持部材の位置は、内側に凹んでいる形状である請求項９又は請求項１０に記載のキーボード。
【請求項１２】
前記第３接合軸の長さが、前記第１接合軸の長さより小さく、そして前記第３接合軸が、前記第１接合軸より前記出光領域に近く、前記第２接合軸の長さが、前記第４接合軸の長さより小さく、そして前記第２接合軸が、前記第４接合軸より前記出光領域に近い請求項９乃至請求項１１のいずれか一項に記載のキーボード。
【請求項１３】
前記キーキャップの厚さは、１ｍｍより大きい請求項９乃至請求項１２のいずれか一項に記載のキーボード。
【請求項１４】
前記はさみ型支持構造の厚さは、１．３ｍｍより大きい請求項９乃至請求項１３のいずれか一項に記載のキーボード。
【請求項１５】
前記ベースプレートと前記キーキャップの１つのエッジのそれぞれに接合される連接棒部材を更に備える請求項９乃至請求項１４のいずれか一項に記載のキーボード。
【請求項１６】
前記キーキャップは、前記出光領域に位置するレーザーエングレービング層を含む請求項９乃至請求項１５のいずれか一項に記載のキーボード。